(57)【要約】【目的】  本発明は、公園、神社、寺、街路樹下、家庭等の落葉を掃除する時に使用する落葉掃除ネットに関す公園、街路樹下などの、落葉を掃除する時、腰を屈めないで、すくった落葉が風に飛ばされないで、容易にビニール袋に移し取れ、かつ、土、砂を分離することの出来る便利な落葉掃除ネットを提供することを目的とする。また、軽くて、容量の大きい、柔軟性のある落葉掃除ネットを提供することを目的とする。【構成】魚すくい網状のフレーム部１２と、弾性薄板すくい２１と、開閉吐き出し口を有する布製筒状袋体とで構成し、かつ、該布製筒状袋体の底布部２６は、前部を土埃受け部２０、奥部を網目ネット部２６ー１で構成した落葉掃除ネット。【選択図】  図７
2007063964.tif 000002
【特許請求の範囲】
【請求項１】
魚すくい網状のフレーム部１２と、弾性薄板すくい２１と、開閉吐き出し口を有する布製筒状袋体とで構成し、かつ、該布製筒状袋体の底布部２６は、前部を土埃受け部２０、奥部を網目ネット部２６ー１で構成した落葉掃除ネット。
【発明の詳細な説明】
【発明の詳細な説明】
【産業上の利用分野】
【０００１】  本発明は、公園、神社、寺、街路樹下、家庭等の落葉を掃除する時に使用する落葉掃除ネットに関す
【背景技術】
【０００２】従来は、（図１）（図２）に示すように、落葉を竹ぼうきで小山１に集め、すくい篭２で落葉をすくい、ビニール袋３に入れていた。また（図３）に示すような金属製のちり取り４や（図４）に示すようなプラスチック製ちり取り７や（図６）に示すようなスチールちり取り１０等で落葉をすくい（図５）のプラスチック容器９などに入れていた。
【発明が解決しようとする課題】
従来は、前述のように種々の落葉すくいがある。例えば（図１）のすくい篭２では、多量の落葉をすくい取ることができるが、腰を屈め疲れること、すくった落葉が風で飛ばされ易いこと、ビニール袋３に移しにくいなどの欠点がある。（図３）の金属製ちり取り４では、腰を屈めなくとも、容量が少なく、たばこの吸い殻等のすくい取りにはよいが、落葉のすくい取りには不向きである。（図４）のプラスチック製ちり取り７は、容量少なく、玄関の土ぼこりの掃除にはよいが、落葉のすくい取りには不向きである。また、従来のちり取りは、一般的に落葉と土、砂の分離機能がない。
まとめてみると
（１）すくい取る量が少なく、落葉掃除には不向きである。
（２）風が吹くと、すくい取った落葉が飛び散る。
（３）落葉と砂、土を同時すくい取り、それを分離よる機能がない。
（４）すくい取った落葉を、ビニール袋３に移すのが容易でない。
（５）地面に踏み石等の凹凸があると、ちり取りの底が柔軟性なく、落葉をすくい取りにくい。
（６）池の水面に浮いた落葉をすくい取る機能がない。
これら、課題を解決した便利な落葉掃除ネットを提供しようとする。
【課題を解決するための手段】
【０００４】魚すくい網状のフレーム１２と、該フレーム１２の底辺に設けた弾性薄板すくい２１と、開閉吐き出し口を有する布製筒状袋体とで構成し、かつ、該布製筒状袋体の底布部２６は、前部を土埃受け部２０、奥部を網目ネット部２６ー１に構成した落葉掃除ネット。
【作用】
【０００５】本発明の落葉掃除ネットの作用について説明する。
秋、公園などの落葉を竹ぼうき等で小山１（図１）のように集め、（図７）の本発明の一実施例である見取図、落葉掃除ネットで落葉をほうきで、すくい取る。次に、該落葉掃除ネットを振い、網目ネット部２６ー１で土、砂等をふり落す。次に、ビニール袋３に該落葉掃除ネットの開閉吐き出し口を入れ、開閉ひも２９をゆるめると、吐き出し口が開き、落葉をビニール袋３に容易に移すことが出来る。
【実施例】
【０００６】本発明の具体的一実施例を（図７）から（図１０）の図面により説明する。
（図７）は、本発明、落葉掃除ネットの前面見取図を示す。
（図８）は、（図７）の後方見取図を示す。
（図９）は、（図７）の後方見取図で、開閉吐き出し口を開いた状態を示す。
１１はハンドル棒、１１ー１は吊り環、２１は弾性薄板すくいで、フレーム部１２を構成する。布製筒状袋体は、底布部２６、側面布３０（図１９）、上カバー布部２７で構成する。
（図７）で底布部２６は、前部を土埃受け部２０、奥部を網目ネット部２６ー１で構成する。（図８）で開閉ひも２９を開閉ひも掛け２８より外すと（図９）に示すように、開閉吐き出し口は開き、すくった落葉をビニール袋３に移すことが出来る。
（図１０）は、本発明、落葉掃除ネットですくった落葉を、ビニール袋３に移す様子を説明するための見取図を示す。１４は二枚の金網を屏風状にしたスタンドで、ビニール袋３をクリップ１３で支持してある。支持されたビニール袋３に、落葉掃除ネットの開閉吐き出し口より、落葉を容易に移すことができる。
次に、本発明、落葉掃除ネットの構成を判り易くするため、（図１１）から（図２２）により説明する。
（図１１）はフレーム部１２を示す。（Ａ）は、その正面図で、（Ｂ）は、その側面図を示す。１１ー１は、吊り環。１１は、ハンドル棒。１５は、ハンドル受け金具でハンドル止めネジ１６で、フレーム１２と連結されている。
（図１２）は（図１１）のフレーム部１２に、布製筒状袋体の支持金具１８、土埃受け部２０、弾性薄板すくい２１を組み付けた構造を示す。（Ａ）は、その正面図で、（Ｂ）は、その側面図を示す。左右二本の支持金具１８は、上端を受けアングル１７でフレーム部１２に、下端を土埃受け部２０に、支持金具受け板２５を介して固定されている。
（図１３）は（図１２）の（Ｂ）の部分拡大図を示す。２４は土埃で、土埃受け部２０の上に溜められる。
（図１４）は土埃受け部２０と、弾性薄板すくい２１、すくい押え２２をネジ２３固定されていることを示す見取図。
（図１５）は、布製筒状袋体の底布部２６の平面図を示す。。
（図１６）は、（図１５）の側面図を示す。
底布部２６は布製で、５ｍｍ角位の網目２６ー１が縫い込まれている。土埃２４が振るい落される。２６ー２は３ｍｍ位の金属丸棒で、フレーム部１２に固定される。
２６ー４は、開閉ひも２９を通す穴が二個所設けてある。２６ー３は、下開閉口のための、芯板が縫い込まれている。
（図１７）は、布製筒状袋体の上カバー布部２７の平面図を示す。
（図１８）は、（図１７）の側面図を示す。
一端には、３ｍｍ位の金属丸棒２７ー１が縫い込まれ、他端には、上開閉口のための、芯板２７ー２が縫い込まれている。２８は開閉ひも２９をひっかける開閉ひも掛けで、二本のピン２８ー１を介して上カバー布部２７に固定されている。２７ー３は、開閉ひも２９を通す穴が二個所設けてある。
該上カバー布部２７の表面には、［みんなの○○公園  きれいにしましょう」とか［○○旅館］とかを、染め込むこともできる。また、婦人用傘のように、いろいろの色彩の布地で作成することもできる。
（図１９）は、側面布部３０の見取図を示す。上カバー布部２７と底布部２６の間に縫い込まれる。
（図２０）は、（図１３）のＣーＤ断面図を示す。
（図２１）は、本発明、落葉掃除ネットを地面１９に置いた時の側面図を示す。ハンドル棒１１を手放しても、支持金具１８と土埃受け部２０により、倒れることがない。
開閉ひも２９で、開閉吐き出し口を閉め、開閉ひも掛け２８にひっかけた状態も示している。
（図２２）は、本発明、落葉掃除ネットを壁３１のフック３２にハンドル棒１１の吊り環１１ー１で、吊り下げた状態の側面図を示す。
布製筒状袋体の網目ネット部２６ー１は柔軟性があるため、垂れ下がり、コンパクトに収納できる。落葉が少し残っていても、上カバー布部２７により美観が保てる。
【発明の効果】
【０００７】本発明には、次のような効果がある。
（１）腰を屈めず、多量の落葉をすくい取ることができる。
（２）すくい取った落葉は、風で飛ばされることがない。
（３）土、砂と落葉を同時に、すくい取っても、網目ネット部２６ー１で土、砂を振るい落せる。
（４）本、落葉掃除ネットの開閉吐き出し口をビニール袋３に入れ、開閉ひも２９を緩めると、吐き出し口が開き、容易にビニール袋３に移すことが出来る。
（５）地面が凹凸でも。布製で柔軟性があり、地面になじむ。
（６）布製なので、地面との接触時、手へのショック、騒音が少ない。
（７）壁に吊るし掛けても、柔軟性があるので、垂れ下がり、コンパクトに収納できる。
（８）池の水面に浮かんだ落葉もすくい取ることが出来る。
【図面の簡単な説明】
【０００８】
【図１】は、従来の落葉掃除を説明するための説明図。
【図２】は、（図１）のすくい篭２で落葉をすくい、ビニール袋３に移す説明図。
【図３】は、従来の他の落葉掃除具、金属製ちり取り４による落葉掃除の説明図。
【図４】は、従来の他の落葉掃除具、プラスチック製ちり取り７による落葉掃除の説明図。
【図５】は、プラスチック容器の見取図。
【図６】は、従来の他の落葉掃除具、スチールちり取り１０の見取図。
【図７】は、本発明、落葉掃除ネットの前面見取図。
【図８】は、（図７）の後方見取図。
【図９】は、（図７）の後方見取図で、開閉吐き出し口を開いた状態の見取図。
【図１０】は、本発明、落葉掃除ネットですくった落葉をビニール袋３に移す様子を説明する見取図。
【図１１】（Ａ）は、フレーム部１２の正面図。（Ｂ）は、その側面図。
【図１２】（Ａ）は、フレーム部１２に支持金具１８、土埃受け部２０、弾性薄板すくい２１を組み付けた構造の正面図。（Ｂ）は、その側面図。
【図１３】は（図１２）の（Ｂ）の部分拡大図。
【図１４】は、土埃受け部２０と、弾性薄板すくい２１、すくい押え２２ををネジ２３で固定されていることを示す見取図。
【図１５】は、底布部２６の平面図。
【図１６】は、（図１５）の側面図。
【図１７】は、上カバー布部２７の平面図。
【図１８】は、（図１７）の側面図。
【図１９】は、側面布部３０の見取図。
【図２０】は、（図１３）のＣーＤ断面図。
【図２１】は、本発明、落葉掃除ネットを地面１９に置いた時の側面図。
【図２２】は、本発明、落葉掃除ネットを壁３１のフック３２に、吊り環１１ー１で吊り下げた状態の側面図。
【符号の説明】
【０００９】１：落葉を集めた小さい山  ２：すくい篭  ３：ビニール袋
４：市販の金属ちり取り    ５：市販りほうき    ６：落葉
７：市販のプラスチックちり取り  ８：市販の竹ほうき  ９：プラスチック容器
１０：市販のスチールチリ取り  １１：ハンドル棒  １２：フレーム部
１３：グリップ  １４：金網    １５：ハンドル受け金具
１６：ハンドル止めネジ      １７：受けアングル  １８：支持金具
１９：地面    ２０：土埃受け部  ２１：弾性薄板すくい
２２：すくい押え  ２３：ネジ  ２４：土、砂
２５：支持金具受け板  ２６：底布部  ２７：上カバー布部
２８：開閉ひも掛け    ２９：開閉ひも      ３０：側面布部
３１：壁    ３２：フック
【図１】
2007063964.tif 000003
【図２】
2007063964.tif 000004
【図３】
2007063964.tif 000005
【図４】
2007063964.tif 000006
【図５】
2007063964.tif 000007
【図６】
2007063964.tif 000008
【図７】
2007063964.tif 000009
【図８】
2007063964.tif 000010
【図９】
2007063964.tif 000011
【図１０】
2007063964.tif 000012
【図１１】
2007063964.tif 000013
【図１２】
2007063964.tif 000014
【図１３】
2007063964.tif 000015
【図１４】
2007063964.tif 000016
【図１５】
2007063964.tif 000017
【図１６】
2007063964.tif 000018
【図１７】
2007063964.tif 000019
【図１８】
2007063964.tif 000020
【図１９】
2007063964.tif 000021
【図２０】
2007063964.tif 000022
【図２１】
2007063964.tif 000023
【図２２】
2007063964.tif 000024